(57)【要約】【課題】パチンコ島に取付けられた、パチンコ台の傾斜を調整する手段としては、手動および無線の操作手段があるが、手動の操作手段は操作に手間がかかり、一方、無線の操作手段は、パチンコ島のパチンコ台１台づつに制御回路が必要であり、また、この配線および電源工事が伴うものであった。【解決手段】傾斜の調整手段を、有線のリモコンで行なうことで従来の問題を解決した。【選択図】図２
2020146427.tif 000002
【特許請求の範囲】
【請求項１】
リモコン接続用のコンセントを結線したモーターを備え、パチンコ島の天板に止着した傾斜調整手段と、
傾斜調整手段と連結し、パチンコ台枠の上部板を装着する上部取付け手段と、
パチンコ台枠の下部板を、パチンコ島に取付ける下部取付け手段と、
パチンコ台の傾斜を測定する傾斜測定手段と、
上記コンセントと取外し自在に接続する、ソケットを結線したコントローラ、
とで構成したパチンコ台の傾斜調整システムであり、
有線リモコン操作で、
パチンコ台枠の上部を、該下部を支点として前後に移動してパチンコ台の傾斜を変え、
傾斜測定手段で傾斜を測定して、パチンコ台を所望の傾斜に調整することを特徴とする、パチンコ台の傾斜調整システム。
【請求項２】
前記コントローラは、
モーターの制御回路を備え、
コントローラのソケットを、パチンコ島のコンセントに接続した有線リモコン操作において、
該制御回路で、
モーターを制御することを特徴とする、
前記請求項１記載のパチンコ台の傾斜調整システム。
【請求項３】
前記コントローラは、
バッテリーを備え、
コントローラのソケットを、パチンコ島のコンセントに接続した有線リモコン操作において、
該バッテリーを電源として、
傾斜調整手段のモーターを駆動することを特徴とする、
前記請求項１記載のパチンコ台の傾斜調整システム。
【請求項４】
前記コンセントは、
パチンコ島の点検開口の周縁部に設け、
該点検開口に開閉自在として備えられた幕板で閉塞されることを特徴とする、
前記請求項１記載のパチンコ島の傾斜調整システム。
【請求項５】
前記コンセントは、
パチンコ島の前面で、呼び出しランプの取付け板、もしくは台間柱に設けたことを特徴とする、
前記請求項１記載のパチンコ台の傾斜調整システム。
【請求項６】
前記コントローラは、
パチンコ島の天板の左右に設置した傾斜調整手段の、
左右を選択する切り替えスイッチと、
パチンコ台の、傾斜の増もしくは減を操作するスイッチを設けたことを特徴とする、
前記請求項１記載のパチンコ台の傾斜調整システム。
【請求項７】
パチンコ島の天板に止着する止着部を備え、
前端および後端には枢支部を形成した支持板と、
該前後の枢支部の内側に横架枢着し、
螺子部に連結ナットを螺着した横架ボルトと、
支持板の上方もしくは左右一側方にモーターの止着部が臨むようにして、
支持板に取付けられたモーター取付け板と、
モーター取付け板の止着部に止着して、
支持板の上方もしくは、左右一側方に配置されたモーターと、
モーターには駆動ギヤを設け、
他方、横架ボルトには従動ギヤを設けて、
ギヤ相互を歯合した上記構成の傾斜調整手段と、
パチンコ台枠の上部板を装着する装着部を備え、
上記傾斜調整手段の下方に配置して、
該傾斜調整手段の連結ナットに、上下移動自在に連結した上部取付け手段とで構成し、
モーターの駆動で、パチンコ台枠を前後に移動して、パチンコ台の傾斜を調整することを特徴とする、
パチンコ台の傾斜調整ユニット。
【請求項８】
前記パチンコ台枠の上部取付け手段は、
前端部にパチンコ台枠の上部板を装着する装着部を形成し、
後端部両側には、縦長の長穴を有するスライド部を一体に立ち上げた連結板で構成し、
連結板のスライド部を、
傾斜調整手段の連結ナットの外側に、スライド自在に設け、
他方、支軸を、スライド部の長穴に挿通するとともに、
連結ナットに穿設した軸穴に貫通固着して、
連結板を上下移動自在に傾斜調整手段に連結し、
パチンコ台枠の上部板の上下位置の変化によって、連結板が上下に移動対応するようにしたことを特徴とする、
前記請求項７記載のパチンコ台の傾斜調整ユニット。
【発明の詳細な説明】
【技術分野】
【０００１】  この発明はパチンコ台を、所定の傾斜でパチンコ島に取付ける傾斜調整システムと、この傾斜を調整する傾斜調整ユニットに関する。
【背景技術】
【０００２】  パチンコ台は、パチンコ店内に配置されたパチンコ島に、後方へ傾いた傾斜で設置される。
而して、この傾斜角度は後方へ１°以内と規定され、さらに機種によって夫々の傾斜角度が推奨されている。
パチンコ台をパチンコ島に取付けるには、先ず、パチンコ島にパチンコ台枠を装着し、このパチンコ台枠に、パチンコ台を開閉自在として取付ける。
このパチンコ台枠の取付けを、釘やビス等の取付け手段で行う場合、台枠の傾斜を確認しながら、この傾斜を保持して取付ける作業は熟練を要する上に正確性に欠け、また、パチンコ台の取付け後に測定したパチンコ台の傾斜が、当初所定の傾斜でない場合、一単取付けしたパチンコ台枠の傾斜を変えることは煩雑な作業となる。【０００３】  一方、パチンコ台枠が所定の傾斜でパチンコ島に装着されていれば、これに取付けられたパチンコ台も同様な傾斜で設置されることになるが、実際にはパチンコ台枠とパチンコ台の傾斜は相違している場合が多い。
上記観点から、パチンコ台をパチンコ島に取付けするにあたり、従前、多様な傾斜調整手段が公知となっており、また、この傾斜調整手段はパチンコ台の取付け手段を兼ね備えている。
当該傾斜調整手段は、パチンコ台枠の設置区画を形成するパチンコ島の天板に設置され、他方、このパチンコ島の下板には、パチンコ台枠の下部取付け手段が設置されている。
パチンコ台をパチンコ島に取付けるには、最初にパチンコ台枠をパチンコ島の設置区画に配置し、この上部板を傾斜調整手段に装着し、下部板を下部取付け手段で装着する。
次いで、パチンコ台枠にパチンコ台を取付け、このパチンコ台の傾斜を測定して、傾斜調整手段を操作し、パチンコ台枠の下部を支点として、他方、上部を前後に移動調整して所定の傾斜に設定する。
上述において、パチンコ台の傾斜を設定するには、パチンコ台枠の上部を装着する傾斜調整手段と、パチンコ台枠の下部を取付ける下部取付け手段と、パチンコ台の傾斜を測定する傾斜測定手段と、前記傾斜調整手段の操作手段とで構成した傾斜調整システムを必要とする。【０００４】  特許文献１は、傾斜調整手段の後端にコントロールワイヤーを接続して、このコントロールワイヤーの操作部をパチンコ島の前面側に設け、他方、パチンコ台の盤面に傾斜測定器を手で当接した状態で、コントロールワイヤーを回転操作して、パチンコ台の傾斜を調整するものである。【０００５】  特許文献２は、パチンコ台の傾斜の調整が、ステッピングモーターと、この制御ボックスおよび、パチンコ台に設置したセンサーで行なわれる。
制御ボックスは、パチンコ島に設置され、対応するパチンコ台１台につき１台づつ設けられ、夫々がパチンコ島内部の電源に接続されている。
また、センサーは、パチンコ台の台枠に設置され、対応するパチンコ台１台につき、同様に１個設けられる。
パチンコ台の傾斜はセンサーで測定され、制御ボックスの制御でステッピングモーターを駆動して、パチンコ台を所定の傾斜に設定する。
上記の操作は、外部より無線の遠隔操作で行なわれ、上記の制御ボックスには、無線信号の受信回路と、センサーの信号でステッピングモーターの回転を制御する制御回路が含まれる。【０００６】  特許文献３は、パチンコ台の傾斜の調整が、シリンダーやモーター等のアクチュエーターと、このコントローラおよび、傾斜測定器で行なわれる。
コントローラがパチンコ台１台につき１台づつ設けられ、センサーも同様に設けられ、従って、パチンコ台の傾斜の測定に、傾斜測定器を用いる以外は、特許文献２と同様である。
【先行技術文献】
【特許文献】
【０００７】
【特許文献１】特開２０１２−１１５７号
【特許文献２】特開２００７−２５９９６１号
【特許文献３】特開２０１１−２４６０４号
【発明の概要】
【発明が解決しようとする課題】
【０００８】  パチンコ台が取付けられているパチンコ島の内部は、パチンコ玉の供給レールや、お札の搬送機器等が設置されている。
前記特許文献１では、傾斜調整手段の後端に接続する、コントロールワイヤーの接続自体が、接続スペースが無くて困難な場合が多かった。
また、パチンコ台の傾斜の調整の操作は、パチンコ台の盤面に測定器を手で当て、この測定値を確認しながら、他方、パチンコ島に設けられたコントロールワイヤーを回転操作して行なわれる。
而して、コントロールワイヤーの操作位置は、パチンコ島の上方であるので、傾斜を確認しながらこの操作を同時に行なうことができず、作業効率が悪かった。
また、パチンコ台の盤面に測定器を当てて傾斜を測定する場合、パチンコ台が左右に捩れないように、盤面の左右それぞれにて測定を行なうものであるが、盤面の右半分が、飾り等で覆われて盤面が露出しないパチンコ台が多数あり、当該パチンコ台では傾斜の測定ができなかった。【０００９】  特許文献２は、前述のように制御ボックスおよびセンサーが、パチンコ台１台につき各々１台づつ設置される。
パチンコ台は、一般的なパチンコ店１件につき、３００台〜４００台程度設置されているので、制御ボックスおよびセンサーがパチンコ台と同じ数必要で、また、これらの配線および電源との電気工事も付帯する。
また、センサーはパチンコ台の新台の入れ替えの都度に、付け替え作業が必要である。一方、パチンコ台は機種が多様で寸法形状が夫々異なるので、センサーの取付けにあたり精度を一定とすることが難しい。【００１０】  また、傾斜の調整を無線のリモコンで行なう場合、この出力信号の大小によっては隣接するパチンコ台に影響が及ぶので出力が限定され、他方、リモコンの制御ボックスは、パチンコ台の上方に設置されるので、パチンコ台のうち上部前面に飾り物が出っ張っている機種では、信号が遮断され易く、操作の都度に障害物を避けて椅子に上がるなど、通常の操作では賄えない場合がある。
また、上記の無線リモコンの場合、遊技者が同じ信号のリモコンを用いて不正に操作できる懸念もあった。
特許文献３は、パチンコ台の傾斜の測定を、測定器で行なうので、前記のセンサーを必要としない以外は特許文献２と同様の課題があり、また、この測定器の具体的な構造および傾斜の測定個所などは示されていない。【００１１】  本発明のパチンコ台の傾斜調整システムは、上記に鑑みてなされたもので、上記の従来問題点の解決を目的としている。
即ち、パチンコ台の傾斜調整システムを合理化して、この装置コストおよび付帯する工事等の軽減を計るとともに、傾斜の調整操作においても、誤操作がなく効率良く傾斜の調整ができるパチンコ台の傾斜調整システムを提供することを目的とする。
また、上記の傾斜調整手段が、外部より故意に操作されないようにすることを目的とする。
また、上記のパチンコ台の傾斜調整システムの傾斜調整ユニットが、パチンコ島内部への設置において、他の機器と干渉することなく設置できる傾斜調整ユニットを提供することを目的とする。
また、パチンコ台枠の天板の上下位置の変化に対応できる傾斜調整ユニットを提供することを目的とする。
【課題を解決するための手段】
【００１２】前記課題を解決するため、この発明のパチンコ台の傾斜調整システムは、リモコン接続用のコンセントを結線したモーターを備え、パチンコ島の天板に止着した傾斜調整手段と、傾斜調整手段と連結し、パチンコ台枠の上部板を装着する上部取付け手段と、パチンコ台枠の下部板を、パチンコ島に取付ける下部取付け手段と、パチンコ台の傾斜を測定する傾斜測定手段と、上記コンセントと取外し自在に接続する、ソケットを結線したコントローラ、とで構成したパチンコ台の傾斜調整システムであり、有線リモコン操作で、パチンコ台枠の上部を、該下部を支点として前後に移動してパチンコ台の傾斜を変え、傾斜測定手段で傾斜を測定して、パチンコ台を所望の傾斜に調整するようにした。【００１３】  前記コントローラは、モーターの制御回路を備え、コントローラのソケットを、パチンコ島のコンセントに接続した有線リモコン操作において、該制御回路で、モーターを制御するようにした。【００１４】  前記コントローラは、バッテリーを備え、コントローラのソケットを、パチンコ島のコンセントに接続した有線リモコン操作において、該バッテリーを電源として、傾斜調整手段のモーターを駆動するようにした。【００１５】  前記コンセントは、パチンコ島の点検開口の周縁部に設け、該点検開口に開閉自在として備えられた幕板で閉塞されるようにした。【００１６】  前記コンセントは、パチンコ島の前面で、呼び出しランプの取付け板、もしくは台間柱に設けるようにした。【００１７】  前記コントローラは、パチンコ島の天板の左右に設置した傾斜調整手段の、左右を選択する切り替えスイッチと、パチンコ台の、傾斜の増もしくは減を操作するスイッチを設けるようにした。【００１８】  パチンコ島の天板に止着する止着部を備え、前端および後端には枢支部を形成した支持板と、該前後の枢支部の内側に横架枢着し、螺子部に連結ナットを螺着した横架ボルトと、支持板の上方もしくは左右一側方にモーターの止着部が臨むようにして、支持板に取付けられたモーター取付け板と、モーター取付け板の止着部に止着して、支持板の上方もしくは、左右一側方に配置されたモーターと、モーターには駆動ギヤを設け、他方、横架ボルトには従動ギヤを設けて、ギヤ相互を歯合した上記構成の傾斜調整手段と、パチンコ台枠の上部板を装着する装着部を備え、上記傾斜調整手段の下方に配置して、該傾斜調整手段の連結ナットに、上下移動自在に連結した上部取付け手段とで構成し、モーターの駆動で、パチンコ台枠を前後に移動して、パチンコ台の傾斜を調整するようにした。【００１９】前記パチンコ台枠の上部取付け手段は、前端部にパチンコ台枠の上部板を装着する装着部を形成し、後端部両側には、縦長の長穴を有するスライド部を一体に立ち上げた連結板で構成し、連結板のスライド部を、傾斜調整手段の連結ナットの外側に、スライド自在に設け、他方、支軸を、スライド部の長穴に挿通するとともに、連結ナットに穿設した軸穴に貫通固着して、連結板を上下移動自在に傾斜調整手段に連結し、パチンコ台枠の上部板の上下位置の変化によって、連結板が上下に移動対応するようにした。
【発明の効果】
【００２０】  この発明のパチンコ台の傾斜調整システムは、上記の構成であり、第１に、パチンコ台の傾斜調整が電動で行なえるようにしたので傾斜調整作業が簡単になった。
また、この傾斜の調整操作を、パチンコ島の外部からの有線リモコンとして、コントローラ（有線リモコンの操作側）に、モーターの制御回路さらには、モーターのバッテリーを設けたので、従来の如く、当該制御回路をパチンコ台１台づつに設ける必要が無く、また、これに付帯する配線および電源工事も無くなり当該システムの合理化が計られる。
また、傾斜の測定にセンサーを使用せずに、傾斜測定器で行なう場合は、上記と同様にして、センサーをパチンコ台１台づつに設ける必要が無く、また、また、パチンコ台のガラス面を傾斜の基準として測定するので傾斜の設定精度も向上する。
また、有線リモコンの受け側となるパチンコ島のコンセントを、普段はパチンコ島の外部から見えないように設置したので、不正やイタズラ等を未然に防止することができる。
また、上記のコンセントは、接続および解除作業が簡易におこなえる場所に設置したので、この有線リモコン接続が簡便となった。
また、有線リモコンのコントローラの操作スイッチを、左右切り替え式としたので、コントローラを小型化できた。
また、パチンコ台の傾斜調整ユニットの、モーターをギヤドモータートとしてこの取付け位置を簡略化したのでユニットが小型化でき、また、モーターの取り付け位置の変更ができるようにしたので、モーターが他の機器類と干渉することなく設置ができるようになった。
また、ギヤドモーターの利用によって、傾斜の調整において間欠的な微調整が可能となり傾斜の設定精度が向上した。【００２１】  また、上記傾斜調整ユニットの、パチンコ台枠の上部取付け手段を、上下移動自在として傾斜調整手段に連結したので、パチンコ台枠の天板の上下位置が変化しても、傾斜調整手段に余計な負荷が加わることがなく、操作を円滑に行なうことができる。
【図面の簡単な説明】
【００２２】
【図１】パチンコ島の内部背面図。
【図２】パチンコ台の傾斜調整システムを示すパチンコ島の断面図。
【図３】上記図２の要部拡大図。
【図４】パチンコ台の傾斜調整ユニットの断面図。
【図５】上記図４のＡ−Ａ線に沿う断面図。
【図６】傾斜調整ユニットの分解図。
【図７】取付け手段の他の実施例を示す分解図。
【図８】上記図７の断面図。
【図９】取付け手段の他の実施例を示す断面図。
【図１０】上記図９の分解図。
【図１１】パチンコ台に傾斜測定手段を取り付けた正面図。
【図１２】有線リモコンを示す斜視図。
【図１３】傾斜測定手段の斜視図。
【図１４】上記図１３の平断面図。
【図１５】コントローラの他の実施例図。
【図１６】他の傾斜調整ユニットの取付け状態を示す、パチンコ島の内部背面図。
【図１７】上記図１６のＢ−Ｂ線に沿う断面図。
【図１８】上記図１６のＣ−Ｃ線に沿う断面図。
【図１９】傾斜調整ユニットの他の実施例を示す断面図。
【図２０】コンセントの、他の設置位置を示すパチンコ島の正面図。
【図２１】上記図２０の要部拡大図。
【図２２】上記図２１のＤ−Ｄ線に沿う断面図。
【図２３】コントローラの他の実施例を示す斜視図。
【図２４】有線リモコンのブロック図。
【図２５】有線リモコンの他の実施例を示すブロック図。
【図２６】傾斜測定手段の他の実施例を示す断面図。
【図２７】傾斜測定手段の他の実施例を示す断面図。
【図２８】上記傾斜調整ユニットを用いた無線リモコンのブロック図
【図２９】上記図２８の概念図
【図３０】上記図２９の断面図
【発明を実施するための形態】
【００２３】  この発明は、パチンコ台の傾斜調整システムと、パチンコ台の傾斜調整ユニットに関し、以下、図１〜図２７を参照し、この実施形態を通じて本発明を説明する。
【００２４】  図１は、パチンコ島１の内部背面図を示し、このパチンコ島の天板２と、下板３およびこの柱４で形成した設置区画５には、上部板６と、下部板７および、これらと接続する左右の縦桟８とで枡状に構成したパチンコ台枠９が取付けられている。
【００２５】  １０は傾斜調整手段を示し、パチンコ島１の天板２に止着し、この傾斜調整手段１０の下側には、パチンコ台枠９の上部板６を装着した上部取付け手段１１が連結されている。
上記の傾斜調整手段１０と上部取付け手段１１とで、傾斜調整ユニット３８を構成している。
また、パチンコ台１４は、パチンコ台枠９の前側に開閉自在として取付けられる、
他方、パチンコ台枠９の下部板７は、パチンコ島１の下板３に下部取付け手段１２で装着されている。また、下部取付け手段１２は、螺子１３や釘によって装着する実施例を示しているが、他に取付け器具を装着手段とした実施例を別に示している。
傾斜調整手段１０および上部取付け手段１１は、パチンコ島１の天板２に、左右一対で配置止着されて、パチンコ台枠９の上部板６の左右の個所を装着し、一方、パチンコ台枠９の下部板７は、下部取付け手段１２で、パチンコ島１の下板３に同様の左右個所を装着される。
【００２６】  次ぎに、図２によって、パチンコ台１４の傾斜調整システムを説明すると、この傾斜調整システムは、パチンコ島１の天板２に止着固定した傾斜調整手段１０と、この傾斜調整手段１０と連結して、パチンコ台枠９の上部板６を装着する上部取付け手段１１と、パチンコ台枠９の下部板７をパチンコ島１の下板３に装着する下部取付け手段１２と、上記傾斜調整手段１０に結線したコンセント１６と、このコンセント１６に接続するソケット１５を結線し有線リモコンで傾斜調整手段１０を操作するコントローラ１７と、他方、パチンコ台１４のガラス面１８に配置して、該ガラス面１８の傾斜を測定する傾斜測定手段１９および、パチンコ台枠９もしくはパチンコ台１４にセンサー１６２を取付けて傾斜を測定する傾斜測定手段１９ａとで構成している。
【００２７】  上記傾斜調整手段１０は、モーター２０を備えこの駆動ギヤ２１および従動ギヤ２２を介して横架ボルト２３を枢着し、この横架ボルト２３は、下端に上部取付け手段１１を連結および固着した連結ナット２４を螺着している。
上記に於いて、モーター２０の駆動で、連結ナット２４および上部板６が前後方向に移動し、パチンコ台１４の上部を、他方、パチンコ台枠９の下部を支点として同様に前後方向に移動する。
一方、パチンコ島１は、設置工事の段階で予め所定の傾斜で設置されているので、パチンコ台１４の取付けにあたり、この前面をパチンコ島１の前面と面一として取付けた場合、当該パチンコ台１４はパチンコ島１と同一の傾斜で取付けられることになる。
【００２８】  而して、工事後のパチンコ島１の傾斜は、当該パチンコ台１４やその他の機器の取付や経年劣化の影響で変化し易く、パチンコ台１４も、機種によって推奨される傾斜があるので、パチンコ台１４をパチンコ島１に取り付けるにあたり、現実には傾斜の調整が必要となる。
また、パチンコ台１４の傾斜の範囲は、垂直から後方へ１°以内と規定され、この傾斜設定の単位も、一般的にパチンコ台１４の上端の前面と、パチンコ島１の天板２の前面との距離で、１．５ミリ単位（５厘単位）としている。
また、この発明では、パチンコ台１４の傾斜の測定個所をパチンコ台１４のガラス面１８とした実施例と、パチンコ台１４の台枠９もしくはパチンコ台１４自体とした実施例を示している。
【００２９】  上記に於いて、パチンコ台１４の傾斜を有線リモコンで調整するには、先ず、コントローラ１７のソケット１５を、パチンコ島１のコンセント１６に差込んで接続し、このコントローラ１７の操作によってモーター２０を駆動すると、パチンコ台枠９の上部は、他方、下部を支点として前後に移動するので、この移動の変化（傾斜角度の変化）を、パチンコ台１４のガラス面１８に設けた傾斜測定手段１９で確認しながら、コントローラ１７を操作して、パチンコ台１４を所定の傾斜に設定する。
【００３０】  また、モーター２０に連結した前記横架ボルト２３の螺子ピッチを１．５ミリとした場合、この横架ボルト２３の１回転で、連結ナット２４、上部取付け手段１１およびパチンコ台枠９の上部板６を介してパチンコ台１４の上端は、前方もしくは後方に１．５ミリ移動して、パチンコ台１４の傾斜を変化させる。
実施例では、モーター２０をキヤドモーター２０ａとしている。
このギヤドモーター２０ａが毎分３，６００回転し、また、ギヤ比が１／６０であると、このギヤドモーター２０は毎分６０回転（毎秒１回転）に減速され、また、コントローラ１７を１秒間継続して操作することで、横架ボルト２３は１回転してパチンコ台１４の上端の位置を１．５ミリ（５厘）変化させる。
傾斜測定手段１９を、傾斜の変化を気泡管２５で測定する実施例では、気泡管２５の感度および、該気泡管２５に設けた５厘間隔の目盛２６の狭小を勘案して、上記コントローラ１７の操作を、１秒以下の断続した間欠操作で行なうことで、パチンコ台１４を高い精度で所定の傾斜に調整設定することができる。
【００３１】  ギヤドモーター２０ａは、上記の減速作用および、パチンコ台自体が高重量であることによって、慣性の影響が少なく高い精度で停止し、また、断続運転も可能である。
一方、パチンコ台１４の入れ替え作業において、パチンコ台枠９の上部板６の巾が狭い機種の場合、上部取付け手段１１は最大１５ミリ程度の移動が必要となるが、このような広範囲の移動においても、左右１０秒程度の操作で調整がおこなえる。
【００３２】  図３、図１２は、コンセント１６の設置例を示し、このコンセント１６は、パチンコ島１の点検開口２７の底板２８に、図１２で示したように、取付け金具２９および螺子３０で設置されている。
点検開口２７は、上端部を開閉自在に支承された幕板３１で、開閉自在に閉塞されるので、このコンセント１６も通常は幕板３１で閉塞されている。
また、このコンセント１６の設置位置は、幕板３１で閉塞される範囲、即ち、点検開口２７の周縁部であれば、上記個所に限定するものではなく、この設置も左右の傾斜調整手段１０に対応して左右１個づつ設けても良く、一方、実施例ではピンおよびピン受けの接続を示しているが、他に磁石吸着式なども利用できる。
【００３３】  このコンセント１６の設置位置の他の実施例を、図２０、図２１および図２２で示しているが、有線リモコン操作において、コード３２がパチンコ台１４の上部飾りで邪魔になることがないように、このコンセント１６を、パチンコ島１の呼び出しランプの取付け板３３の前面、もしくは、台間柱３４の前面に設置してもよく、一方、この取付け手段として図２２で示したように、パチンコ島１に穿設した取付け穴３５に、コンセント１６を嵌めて、鍔部３６を螺子３７で止着してもよい。
【００３４】  図４、図５および図６は、傾斜調整手段１０および上部取付け手段１１を示し、特に、傾斜調整手段１０と、該手段１０と連結した上部取付け手段１１とで、パチンコ台の傾斜調整ユニット３８としている。
【００３５】  最初に、傾斜調整手段１０を説明すると、３９は、前後に枢支部４０を形成した逆Ｕ字形の支持板を示し、この上部に、モーター取付け板４１によってモーター２０を取付けている。
２３は前端に枢軸４２を、他方、後端に枢支溝４３および回転止面４４を形成した横架ボルトを示し、この横架ボルト２３は、この枢軸４２を前方の枢支部４０の枢支穴４５に配置し、枢支溝４３に、後方の枢支部４０の下端に形成した枢支凹部４６を挿入して、前後の移動を規制されるとともに回転自在に支持板３９に枢支されている。
【００３６】  ４７は、前方に止着部４８を一体に形成した取付け板を示し、この取付け板４７は、左右に振れ止め部４９を一体で垂下している。
振れ止め部４９の内側には、前記枢支部４０を挿入して、この枢支部４０と振れ止め部４９は溶接等の手段で一体に固着している。
【００３７】  ５０は、上端に枢支凹部５１を形成したコ形の支承板を示し、この支承板５０を左右の振れ止め部４９の外側に設け、枢支凹部５１を横架ボルト２３の枢支溝４３に挿入して横架ボルト２３を回転自在に支承し、螺子５２で取付け穴５３および螺子穴５４を介して振れ止め部４９に止着する。
前記モーター取付け板４１は、後端部を上方に曲折して止着部５５を形成し、螺子５６で取付け穴５７および螺子穴５８を介して支持板３９の上面に止着するとともに、止着部５５には螺子５９で同様にして、取付け穴６０および螺子穴６１を介してモーター２０の後端を止着固定している。
また、モーター２０は駆動ギヤ２１を設け、横架ボルト２３の後端には従動ギヤ２２を設けて相互を歯合するが、駆動ギヤ２１は、モーター軸７４をボス７５の軸穴７６に嵌めて止着穴７７を介して螺子７８で固定し、従動ギヤ２２は、横架ボルト２３の後端をボス７９の軸穴８０に嵌め、止着穴８１を介して螺子８２で回転止面４４を固定する。
【００３８】  図７および図８は、モーター取付け板４１の他の実施例を示し、このモーター取付け板４１は、支持板３９の右もしくは左側方にモーター２０が設けられるように、モーター取付け板４１の右もしくは左に偏位した個所に止着部８５を一体に垂下し、この止着部８５にモーター２０を前記と同様にして止着する。
モーター取付け板４１は、この止着部８５の左右逆方向に穿設した止着穴８６を介して螺子８７で支持板３９に取付けられる。
一方、上部を横架ボルト２３に螺着した連結ナット２４は、左右の振れ止め部４９の内側に係合しているので左右の振れが防止され、また、横架ボルト２３の回転で前後に移動する。
上記で傾斜調整手段１０を構成している。
【００３９】  次に、上部取付け手段１１を、図４、図５および図６で説明すると、６２は、前端の左右両側に支持部６３を垂下した支持板を示し、この支持部６３には軸穴６４が穿設されている。
６５は、前端をパチンコ台枠９の上部板６に装着する装着部６６とした連結板を示し、この連結板６５は後端部の左右両側にスライド部６７を上方に曲折形成し、このスライド部６７には長穴６８が穿設されている。
上記支持板６２の支持部６３の外側に、連結板６５のスライド部６７をスライド自在に設け、スプリングピンなどの支軸６９を、スライド部６７の長穴６８に挿通して、支持部６３の軸穴６４にスプリング作用で固着することで、連結板６５は上下移動自在に支持板６２に取付けられる。
また、支軸６９をボルトとし、他方、支持部６３の軸穴６４に螺子を形成して、該ボルトによって取付けるようにし、支持板６２をパチンコ島１に取付けた後に、連結板６５の取付けができるようにしても良い。
上記でパチンコ台枠９の上部取付け手段１１を構成している。
支持板６２の上面には、連結ナット２４の下面を溶接等で連結および固着し、また、パチンコ島１の天板２の後端上面に、取付け板４７の止着部４８を止着穴７０を介して、天板２の下側より螺子７１で止着し、他方、上部取付け手段１１の装着部６６に、パチンコ台枠の上部板６を、装着穴７２を介して螺子７３で装着することで、横架ボルト２３の回転で、パチンコ台枠９およびパチンコ台１４の上部は前後方向に移動する。
上記で傾斜調整ユニットを構成している。
【００４０】  次ぎに下部取付け手段を説明すると、図１および図２では、該下部取付け手段を螺子１３または釘とし、パチンコ台枠９の下部板７の前面を、パチンコ島１の前面と面一とした後に、この下部板７を、この螺子１３または釘でパチンコ島１の下板３に装着する。
上記によって、パチンコ台枠９の上部は、パチンコ台枠９の下部板７の取付け個所を支点として前後に移動する。
【００４１】  また、パチンコ島１の経年劣化やパチンコ台１４の機種の違いなどで、パチンコ台枠９の上部板６は上下の位置が変化し、また、傾斜の調整によって傾きも変わるが、上部取付け手段１１は、パチンコ台枠９の上部板６の上下および傾きにも対応できるように傾斜調整手段１０と連結している。
また、パチンコ台枠９の上記の取付け後に、パチンコ台１４が高重量であるため上部が左右に揺れる懸念があるが、連結ナット２４の左右両側には振れ止め部４９が係合しているので傾くことがない。
【００４２】  上記において、モーター２０をパチンコ島１の内部電源および前記のコンセント１６に結線し、このコンセント１６にはコントローラ１７のソケット１５を接続して、該コントローラ１７の有線リモコンでパチンコ台１４の傾斜を調整するが、実施例ではコントローラ１７にバッテリー８３を設けて、このバッテリー８３を電源としてモーター２０を駆動する。
即ち、パチンコ台１４の傾斜の調整を、有線リモコンで行ない、この操作側にバッテリー８３を設けることで、他方、パチンコ島側で、パチンコ台１台づつに行なわれていた電源工事が不要となった。
また、バッテリー８３は、取替え自在および、充電式または乾電池式など限定するものではない。
上記の実施例では、モーター２０の右回転でパチンコ台１４の傾斜は減少し、左回転で傾斜が増加するがこの傾斜の増減は、コントローラ１７の＋および−のスイッチ８４で操作する。
【００４３】  図９および図１０は、上部取付け手段１１の他の実施例を示し、８８は、前端をパチンコ台枠９の上部板６に装着する装着部８９とした連結板を示し、この連結板８８は後端部の左右両側にスライド部９０を上方に曲折形成し、スライド部９０には長穴９１を穿設して上部取付け手段１１を構成している。
前記傾斜調整手段１０の連結ナット２４の外側に、連結板８８のスライド部９０をスライド自在に設け、スプリングピンなどの支軸９２を長穴９１に挿通して、連結ナット２４の軸穴９４にスプリング作用で固着することで、連結板８８は上下移動自在に連結ナット２４に取付けられる。
この支軸９２は、前記と同様にボルトとして連結板８８を取り外し自在としても良い。
上記において、上部取付け手段１１は、前記実施例と同様にパチンコ台枠９の上部板６の上下位置および傾きに対応するようにして傾斜調整手段１０に連結して、傾斜調整ユニット３８を構成している。
【００４４】  図１６、図１７および図１８は、上部取付け手段１１および下部取付け手段１２の公知の実施例を示している。
この上部取付け手段１１は前記と同様の傾斜調整手段１０に連結し、図１６のパチンコ島１内部の背面図で示したように、このパチンコ島１の天板２に左右一対として取付けられ、また、下部取付け手段１２は、下板３の左右に同様に取付けられている。
９５は、上部取付け手段１１のベースとなる筐体を示し、この筐体９５は上部に連結部９６を介して筐体９５の内部に、前記傾斜調整手段１０の連結ナット２４を挿入し、筐体９５の外側より連結ナット２４の下端の螺子穴２４ａにボルト９７を螺着して筐体９５を傾斜調整手段１０に取付ける。
上記において、筐体９５はボルト９７を回すことで上下位置を可変する。
【００４５】  ９８は、パチンコ台枠９の上部板６の上下に配置した、上挟持板９８ａおよび下挟持板９８ｂを示し、この上下の挟持板９８ａ、９８ｂは基端部を夫々、支軸１００で筐体９５に回転自在として枢着し、また、夫々一体で形成した連結板１０１相互を支軸１０２で連結し、一方の下挟持板９８ｂは、連結板１０１の後端に係合突起１０３を形成している。
上記において、上下の挟持板９８ａ、９８ｂはリンク機構を構成し、係合突起１０３の上下移動で、上下の挟持板９８ａ、９８ｂは先端を対向して開閉する。
１０５は、筐体９５内部に回転自在に立設した操作ボルトを示し、この操作ボルト１０５はナット１０６を螺着するとともに、このナット１０６は、下挟持板９８ｂの係合突起１０３に係合し、一方、下挟持板９８ｂをトーションバネ等で支軸１００を支点として反時計方向に付勢するとともに操作ボルト１０５を回転すると、上下の挟持板９８ａ、９８ｂは、前端部を開閉し、閉扉してパチンコ台枠９の上部板６を押圧挟持し、開扉してパチンコ台枠９の取外しを行なうことができる。
【００４６】  また、下部取付け手段１２は、門形状のベース１０８の下端水平部１０９を螺子１１０でパチンコ島１の下板３に止着し、このベース１０８の上部に固着したナット１１１に、先端に押圧部１１２を回転自在に設けた操作ボルト１１３を螺合している。
パチンコ台枠９のパチンコ島１への装着にあたり、パチンコ台枠９の下部板７を押圧部１１２の下方に配置し、操作ボルト１１３を回し、押圧部１１２を下降してパチンコ島１に下部板７を装着する。
１１４は位置決めボルトを示し、ベース１０８の内部に設けたナット１１５に螺合し、この頭部１１６をパチンコ台枠９の下部板７の後端に当接して、下部板７の前後位置の調整を行なう。
上記において、リモコン操作によって、パチンコ台枠９の上部は、下部を支点として前後に移動してパチンコ台１４の傾斜が調整される。
【００４７】  図１９は、傾斜調整手段１０、上部取付け手段１１および下部取付け手段１２の公知の実施例を示している。
傾斜調整手段１０は、下面に止着板１１７を固着したＵ字形の支持板１１８と、この支持板１１８の内側に固着され、横架ボルト２３を回転自在に枢着した逆Ｕ字形の支持板１２０とで構成し、この止着板１１７の前端部はパチンコ島１の天板２に止着している。
上記支持板１２０の上面にはＬ形のモーター取付け板４１が止着され、このモーター取付け板４１には、前記と同様にして駆動ギヤ２１を備えたモーター２０を取付ける。
上記横架ボルト２３は、後端に上記駆動ギヤ２１と歯合する従動ギヤ２２を設けるとともに、支持板１１８に連結および固着立設したナット１２２と螺合している。
１２３は、上面を上記止着板１１７に固着したベースを示し、下方に押圧板１２４およびレバー１２５を支軸１２６で夫々枢着している。
押圧板１２４とレバー１２５の双方の基端部は支軸１２８で枢着してトグルクランプ機構を構成し、該レバー１２５の上下操作で、押圧板１２４は連動して上下に移動する。
パチンコ台枠９をパチンコ島１に取付けるにあたり、パチンコ台枠９の上部板６をパチンコ島１の天板２の下側に配置し、この後端をベース１２３の前縁に突き当て、レバー１２５の操作で押圧板１２４を上げて上部板６を、パチンコ島１に前後移動自在に装着する。
【００４８】  下部取付け手段１２は、上記の上部取付け手段１１と同様に構成し、ベース１２３ａには、トグルクランプ機構で連結したレバー１２５ａとアーム１２４ａを枢着するとともに、アーム１２４ａには押圧部１３０を枢着している。
パチンコ台枠９の取付けにおいては、パチンコ島１の下板３にベース１２３ａを止着し、パチンコ台枠９の下部板７をパチンコ島１の下板３上に配置するとともに、下部板７の後縁をベース１２３ａに突き当てて前後位置を設定し、レバー１２５ａの操作によって押圧板１３０を下降してパチンコ台枠９の下部板７を装着する。
上記のパチンコ台枠９の装着後にリモコン操作によって、パチンコ台枠９の上部を、下部を支点として前後に移動して、パチンコ台１４の傾斜を調整することができる。
【００４９】  図１２、図１５および図２３は、コントローラ１７を示している。
コントローラ１７は、コード３２でソケット１５を接続し、この操作部１３２には、電源スイッチ１３３および傾斜を増減するスイッチ８４が設けられ、このスイッチ８４は、パチンコ島１の右側もしくは左側の表示１３４で区別して、＋と−の両方が備えられている。
このコントローラ１７は、スイッチ回路と接続したバッテリー８３を着脱自在に設けている。
リモコン操作においては、コントローラ１７のソケット１５を、パチンコ島１のコンセント１６に差込み、電源スイッチ１３３をＯＮにし、例えば表示１３４のＲの＋のスイッチを押せば、バッテリー８３を電源として傾斜調整手段１０のモーター２０が駆動して、パチンコ台１４の右側の傾斜が増加（パチンコ台を後方に傾ける）する。
ソケット１５およびコンセント１６には、上記の差し間違いを防ぐために凹溝１３５およびこれと嵌合する凸起１３６が形成されている。
【００５０】  図２３は、コントローラ１７の他の実施例を示し、この操作部１３２には、左右の切り替えスイッチ１３７を設けて＋−１組のスイッチで左右兼用できるようにしている。
スイッチ８４をアップダウン式として、連続もしくは瞬間的に間欠操作して傾斜の調整を断続的に行なうことで、パチンコ台１４の傾斜を高い精度で設定できる。
図１５は、コントローラ１７をパチンコ島１に設置して、傾斜調整ユニット３８のモーター２０およびパチンコ島１の内部の電源と直接結線した操作手段を例示し、コントローラ１７は、取付け金具２９および螺子３０で、前述と同様にしてパチンコ島１の点検開口２７の周縁部に設置している。
上記の操作手段では、コントローラ１７がパチンコ台１台につき１台づつ必要となるが、反面、有線リモコンでの接続作業がないので、傾斜調整の操作効率が良く、また、接続不良等の故障がない。
【００５１】  図１１、図１３および図１４は公知の傾斜測定手段１９を示している。
この傾斜測定手段１９は、図１３で示したように、上下端にエンドキャップ１４０を被嵌したアルミ等の軽重量の角パイプで基材１４１を構成し、この基材１４１の背面を計測部１４２としてマイクロ吸着シート１４３を張合わせ、前面にはＬ形の取付け金具１４４によって気泡管２５を装着している。
取付け金具１４４は、背面を螺子１４６で取付け穴１４７を介して基材１４１の螺子穴１４８に螺合して基材１４１に止着し、上面には気泡管２５を接着等で固定している。
基材１４１の計測部１４２、即ち、マイクロ吸着シート１４３の吸着面と、気泡管２５は直角に装着し、気泡管２５は、図１４で示したように上面に５厘単位の目盛２６を表示し、気泡管２５の気泡２５ａの中心が位置した目盛２６を読み取ることで、パチンコ台１４の傾斜を測定できる。
【００５２】  而して、上記の傾斜測定手段１９は図１１で示したように、パチンコ台１４のガラス面１８の左右に、マイクロ吸着シート１４３によって吸着配置してガラス面１８の傾斜を計測するが、この脱落の保安のために、ガラス面１８には別に吸盤１５２を吸着し、この吸盤１５２とエンドキャップ１４０を紐１５３でつなぎ、傾斜測定手段１０の予期せぬ脱落を防止している。
上記の吸盤１５２は、レバーおよびプッシュボタン操作で真空吸着するものでも良い。
【００５３】  ２６図および２７図は、傾斜測定手段１９の公知の実施例を示し、図２６は気泡管２５を装着したベース１５４の上部を、他方、ガラス面１８に装着した吸盤１５５と２個のリンク板１５６、１５６ａで枢着し、ベース１５４の計測部に設けた計測脚１５７をガラス面１８に当接して測定を行なうようにしている。
【００５４】  また、図２７は上記と同様に計測脚１５７を備えたベース１５８の上部に、パチンコ島１の天板２とパチンコ台１４との隙間に固定したアーム１５９をリンク板１６０を介して装着し、計測脚１５７をガラス面１８に当接して測定を行なうようにしている。
【００５５】また、パチンコ台１４の傾斜の測定を上記の傾斜測定器とは別に、センサー１６２を用いた傾斜測定手段１９ａを、図１および図２で示している。
センサー１６２は、パチンコ台１４もしくはパチンコ台枠９に取付けるものであり、実施例ではパチンコ台枠９の左右の縦桟８に取付けているが、上部板６の上面に取付けて、対向するパチコン島１の天板２との位置のずれによって傾斜を測定するようにしても良い。
上記のセンサー１６２は制御回路に接続し、この制御回路でモーターの駆動を制御してパチンコ台１４の傾斜が調整される。
この有線リモコンでは、センサー信号をコントローラ１７にフィードバックできるので、このコントローラ１７に制御回路１６３を設けて、有線リモコン、即ち、コントローラ１７のソケット１５とパチンコ島１のコンセント１６の接続において、該センサー１６２の信号によってモーターの駆動を制御することができる。
また、上記においてモーターはステッピングモーターとして、このギヤもしくはギヤボックスとエンコーダを必要とするが、これらは、前述と同様にしてモーター取付け板４１に設置し、横架ボルト２３に連結してパチンコ台の傾斜が調整される。
【００５６】    図２４および図２５は、有線リモコンのブロック図を示し、図２４は、コントローラ１７に制御回路１６３を設け、この電源はパチンコ島１の内部電源とした系統図を示している。
図２５は、コントローラ１７には、制御回路１６３およびバッテリー８３を設けることで、パチンコ島１の内部での電源工事を不要としている。
上記において、制御回路１６３は、パチンコ島１のパチンコ台１台づつに設ける必要がない。
【００５７】  図２８、図２９および図３０は、無線リモコンで前記の傾斜調整ユニット３８を操作する実施例を示している。
図２８のように、コントローラ１６４を操作して送信部の無線信号を、パチンコ島１に設けた受信部１６５で受信し、前述の傾斜調整ユニット３８のモーター２０を駆動してパチンコ台１４の傾斜を調整する。
上記のコントローラ１６４の操作は、図３０で示したように前述と同様の傾斜測定手段１９でパチンコ台１４の傾斜を確認しながら行なわれる。
【符号の説明】
【００５８】  １・・・パチンコ島
２・・・天板
３・・・下板
４・・・柱
６・・・上部板
７・・・下部板
８・・・縦桟
９・・・パチンコ台枠
１０・・・傾斜調整手段
１１・・・上部取付け手段
１２・・・下部取付け手段
１４・・・パチンコ台
１５・・・ソケット
１６・・・コンセント
１７・・・コントローラ
１８・・・ガラス面
１９・・・傾斜測定手段
１９ａ・・傾斜測定手段
２０・・・モーター
２０ａ・・ギヤドモーター
２１・・・駆動ギヤ
２２・・・従動ギヤ
２３・・・横架ボルト
２４・・・連結ナット
２７・・・点検開口
３１・・・幕板
３３・・・呼び出しランプの取付け板
３４・・・台間柱
３９・・・支持板
３８・・・傾斜調整ユニット
４０・・・枢支部
４１・・・モーター取付け板
４７・・・取付け板
４８・・・止着部
４９・・・振れ止め部
５５・・・止着部
８３・・・バッテリー
８４・・・スイッチ
８８・・・連結板
８９・・・装着部
９０・・・スライド部
９１・・・長穴
９２・・・支軸
９４・・・軸穴
１６２・・センサー
１６３・・制御回路
【図１】
2020146427.tif 000003
【図２】
2020146427.tif 000004
【図３】
2020146427.tif 000005
【図４】
2020146427.tif 000006
【図５】
2020146427.tif 000007
【図６】
2020146427.tif 000008
【図７】
2020146427.tif 000009
【図８】
2020146427.tif 000010
【図９】
2020146427.tif 000011
【図１０】
2020146427.tif 000012
【図１１】
2020146427.tif 000013
【図１２】
2020146427.tif 000014
【図１３】
2020146427.tif 000015
【図１４】
2020146427.tif 000016
【図１５】
2020146427.tif 000017
【図１６】
2020146427.tif 000018
【図１７】
2020146427.tif 000019
【図１８】
2020146427.tif 000020
【図１９】
2020146427.tif 000021
【図２０】
2020146427.tif 000022
【図２１】
2020146427.tif 000023
【図２２】
2020146427.tif 000024
【図２３】
2020146427.tif 000025
【図２４】
2020146427.tif 000026
【図２５】
2020146427.tif 000027
【図２６】
2020146427.tif 000028
【図２７】
2020146427.tif 000029
【図２８】
2020146427.tif 000030
【図２９】
2020146427.tif 000031
【図３０】
2020146427.tif 000032